(57)【要約】【課題】キャリッジが印刷領域に位置しているにも拘らず、ロックレバーがロック位置にある場合におけるキャリッジとロックレバーの衝突を回避すること。【解決手段】キャリッジのロック装置３３はホームポジションに位置するキャリッジ２３が勝手に印刷領域に移動するのを防止するキャリッジ２３のロック装置であって、排紙駆動ローラ２９の回転軸３０を駆動源とし、当該回転軸３０に対して圧接部材を介して取り付けられるロックレバー３５を備え、該ロックレバー３５及びキャリッジ２３の双方またはこれらのいずれかには、印刷領域からホームポジションに向けて移動するキャリッジ２３がロックレバー３５に当接した場合においてロックレバー３５を回動させ、そのロック状態を機械的に解除する誘導作用部を設けている。【選択図】　　　　図４
2004082409.tif 000002
【特許請求の範囲】
【請求項１】
ホームポジションに位置するキャリッジが勝手に印刷領域に移動するのを防止するキャリッジのロック装置であって、
排紙駆動ローラの回転軸を駆動源とし、当該回転軸に対して圧接部材を介して取り付けられるロックレバーを備え、
該ロックレバー及びキャリッジの双方またはこれらのいずれかには、印刷領域からホームポジションに向けて移動するキャリッジがロックレバーに当接した場合においてロックレバーを回動させ、そのロック状態を機械的に解除する誘導作用部が設けられていることを特徴とするキャリッジのロック装置。
【請求項２】
請求項１において、前記誘導作用部は、キャリッジのホームポジション側の側面に対して設けられる平面視直角三角形状の誘導リブであって、該誘導リブにおける傾斜面がロックレバーの一部に当接することでロックレバーを回動させ、ロック解除位置へ誘導するようにしたことを特徴とするキャリッジのロック装置。
【請求項３】
請求項１または２において、前記誘導作用部は、ロックレバーの印刷領域側の角稜部の一部を切除して形成した傾斜面であり、該傾斜面がキャリッジの一部に当接することでロックレバーを回動させ、ロック解除位置へ誘導するようにしたことを特徴とするキャリッジのロック装置。
【請求項４】
請求項１〜３のいずれか１項において、前記圧接部材は、回転軸に外嵌めされる皿バネであり、該皿バネによりロックレバーを所定の圧力で回転軸方向に圧接することで、ロックレバーに掛かる負荷が所定トルクに満たない場合にはロックレバーは回転軸と共に一体に回転し、ロックレバーに掛かる負荷が所定トルク以上である場合にはロックレバーは回転軸の回転とは別に回転し、あるいはそのままの位置で静止していることを特徴とするキャリッジのロック装置。
【請求項５】
被記録媒体搬送手段と、被記録媒体に記録を実行する記録実行手段と、被記録媒体を排出する被記録媒体排出手段とを備え、前記記録実行手段は記録ヘッドを搭載し、被記録媒体の搬送方向と直交する主走査方向に往復動するキャリッジを備え、前記被記録媒体排出手段は被記録媒体の下面に接触して排出力を付与する排紙駆動ローラを備えて成る記録装置であって、請求項１〜４のいずれか１項に記載のキャリッジのロック装置を備えることを特徴とする記録装置。
【発明の詳細な説明】
【０００１】
【発明の属する技術分野】
本発明は、ホームポジションに位置するキャリッジが勝手に印刷領域に移動するのを防止するインクジェット式プリンタなどの記録装置に適用できるキャリッジのロック装置およびそれを備えた記録装置に関するものである。
【０００２】
【従来の技術】
キャリッジがホームポジションに位置するとき、キャリッジが勝手に印刷領域に移動しないようにロックレバーが設けられている。ロックレバーは、排紙駆動ローラの回転軸に取り付けられている。ロックレバーは、キャリッジがシーケンスの指令を受けて印刷領域に位置するときはロックレバーが手前（用紙搬送方向）に倒れてロック解除位置になり、キャリッジがホームポジション側に戻ったときにはロックレバーが直立姿勢に戻されてロック位置になるように設定されている。このロック位置とロック解除位置の切り替えは、排紙駆動ローラの回転軸が前記シーケンスの指令に基づいて正転又は逆転することにより行われる。
【０００３】
ロックレバーの印刷領域側の面には、歯付きローラ（排紙ギザローラとも言う）等が取り付けられているハウジングの側壁が近くに迫って位置する。従って、ロックレバーがホームポジションに位置するキャリッジから力を受けたとしても、ロックレバーは、それ自体の剛性で、或いはその剛性に加えて上記ハウジングの側壁に支えられてロック状態を維持する。
【０００４】
【発明が解決しようとする課題】
一方、ロックレバーの動作不良、あるいはシーケンスのバグや外乱等によりキャリッジが印刷領域に位置しているにも拘らず、ロックレバーがロック位置にある場合（本来はロック解除位置にあるはずなのに）には、キャリッジが印刷領域側かホームポジションに移動する際にロック位置にあるロックレバーに該キャリッジが衝突し、停止するはずのない位置でキャリッジが停止してしまい、シーケンス上の動作エラーを引き起こすことになる。更には、キャリッジの衝突で該ロックレバーが破損したり、キャリッジの下に潜り込んで機械的故障を来すことになりかねない。
【０００５】
本発明の目的は、通常では起こり得ない、このようなアブノーマルな事態が仮に起こってしまった場合でも、シーケンス上の動作エラーやロックレバーの破損等の最悪の事態を回避し得るキャリッジのロック装置およびそれを備えた記録装置を提供することにある。
【０００６】
【課題を解決するための手段】
上記課題を解決するために、本発明の第１の態様に係るキャリッジのロック装置は、ホームポジションに位置するキャリッジが勝手に印刷領域に移動するのを防止するキャリッジのロック装置であって、排紙駆動ローラの回転軸を駆動源とし、当該回転軸に対して圧接部材を介して取り付けられるロックレバーを備え、該ロックレバー及びキャリッジの双方またはこれらのいずれかには、印刷領域からホームポジションに向けて移動するキャリッジがロックレバーに当接した場合においてロックレバーを回動させ、そのロック状態を機械的に解除する誘導作用部が設けられていることを特徴とするものである。
【０００７】
本発明によれば、キャリッジが印刷領域に位置する場合において、何らかの支障でロックレバーがロック位置にあったとしても誘導作用部の誘導案内作用により、キャリッジの移動に伴ってロックレバーを自動的に且つ機械的に手前に回動させ、ロック解除位置に至らせることができるから、シーケンス上の動作エラーやロックレバーの破損等の最悪の事態を回避することができる。
【０００８】
また、本発明の第２の態様に係るキャリッジのロック装置は、第１の態様において、前記誘導作用部はキャリッジのホームポジション側の側面に対して設けられる平面視直角三角形状の誘導リブであって、該誘導リブにおける傾斜面がロックレバーの一部に当接することでロックレバーを回動させ、ロック解除位置へ誘導するようにしたことを特徴とするものである。
本発明によれば、誘導リブにおける傾斜面による誘導案内作用によりロックレバーをロック解除位置に至らせることができる。
【０００９】
また、本発明の第３の態様に係るキャリッジのロック装置は、前記第１の態様または第２の態様において、前記誘導作用部はロックレバーの印刷領域側の角稜部の一部を切除して形成した傾斜面であり、該傾斜面がキャリッジの一部に当接することでロックレバーを回動させ、ロック解除位置へ誘導するようにしたことを特徴とするものである。
本発明によれば、ロックレバーに形成した傾斜面による誘導案内作用によりロックレバーをロック解除位置に至らせることができる。
【００１０】
また、本発明の第４の態様に係るキャリッジのロック装置は、前記第１の態様乃至第３の態様のいずれかにおいて、前記圧接部材は回転軸に外嵌めされる皿バネであり、該皿バネによりロックレバーを所定の圧力で回転軸方向に圧接することで、ロックレバーに掛かる負荷が所定トルクに満たない場合にはロックレバーは回転軸と共に一体に回転し、ロックレバーに掛かる負荷が所定トルク以上である場合にはロックレバーは回転軸の回転とは別に回転し、あるいはそのままの位置で静止していることを特徴とするものである。
【００１１】
本発明によれば、常時はシーケンスの指令を受けて排紙駆動ローラが回転し、皿バネによる圧接力を受けてロックレバーは、回転軸と共に所定の方向に回転する。一方、誘導作用部にキャリッジないしはロックレバーが当接し、押圧する力が加わった場合には、皿バネによる圧接力を上回るトルクがロックレバーに掛かり、ロックレバーと回転軸との接続は解除されロックレバーは、シーケンスの指令とは別に強制的に回動し、ロック解除位置に至ることが可能となる。
【００１２】
また、本発明の第５の態様に係る記録装置は、被記録媒体搬送手段と、被記録媒体に記録を実行する記録実行手段と、被記録媒体を排出する被記録媒体排出手段とを備え、前記記録実行手段は記録ヘッドを搭載し、被記録媒体の搬送方向と直交する主走査方向に往復動するキャリッジを備え、前記被記録媒体排出手段は被記録媒体の下面に接触して排出力を付与する排紙駆動ローラを備えて成る記録装置であって、前記第１の態様乃至第４の態様のいずれかのキャリッジのロック装置を備えることを特徴とするものである。これにより、記録装置として、前記第１の態様乃至第４の態様と同様の作用効果が得られる。
【００１３】
【発明の実施の形態】
以下、本願発明の実施の形態を図面に基づいて説明する。図１は、本発明に係るキャリッジのロック装置を適用したインクジェット式プリンタであって、キャリッジがホームポジションに位置する状態を示す斜視図、図２は同キャリッジが印刷領域に位置する状態を示す斜視図である。また図３は同インクジェットプリンタ１の側断面図である。
【００１４】
尚、本明細書において「前方」とは、インクジェットプリンタ１から印刷後の用紙が排紙されていく方向をいい、「後方」とはこれと反対の方向をいうものとする。また本明細書において、「右端」とはホームポジション側の端部をいい、「左端」とはこれと反対側のキャリッジの主走査方向端部をいうものとする。
【００１５】
インクジェットプリンタ１は、装置本体たるプリンタ本体３の後方上部に給紙部５を備え、プリンタ本体３の前方に排紙部７を備えるという概略構成を備えている。図３に示す如く、給紙部５には、記録媒体である複数枚の用紙を積載可能な給紙トレイ１１を備え、給紙トレイ１１には、使用する用紙が長尺である場合に必要に応じて使用可能なペーパーサポート１２が設けられている。また給紙トレイ１１には、使用する用紙の幅に応じて給紙方向と直交する方向（主走査方向）に移動可能なエッジガイド１４を備えている。
【００１６】
給紙トレイ１１の最上部に位置する用紙は、給紙トレイ１１の直ぐ下流側に設けられた給紙ローラ１３の外周面が摩擦接触することで、対向する図示しない分離パッドとの協働により１枚の用紙だけを送り出す作用を担う。給紙トレイ１１から送り出された用紙は、プリンタ本体３に設けられる下側の紙送り駆動ローラ１５と上側の紙送り従動ローラ１７とから構成される記録媒体搬送手段である紙送りローラ１９に至り、駆動系により印刷工程における精密な紙送り動作を受けながら、紙送りローラ１９の下流側に位置する印刷ヘッド２１へ給紙される。
【００１７】
印刷ヘッド２１はキャリッジ２３に支持されており、キャリッジ２３は主走査方向（プリンタ本体３の幅方向）へ往復運動できるようになっている。印刷ヘッド２１と対向する位置にはプラテン２５が設けられており、該プラテン２５は、印刷ヘッド２１によって用紙に印刷を行う際に、用紙を下側から支持する作用を担う。これら印刷ヘッド２１、キャリッジ２３およびプラテン２５が記録実行手段の主たる構成要素を成している。
【００１８】
印刷ヘッド２１とプラテン２５との距離、即ちペーパーギャップは、印刷ヘッド２１を支持するキャリッジ２３を上下動させることにより、用紙の厚さに応じて適宜調節できるようになっている。ペーパーギャップが適正に調整されている状態で、用紙はプラテン２５上を間欠的に滑らかに通過しながら、高品質の印刷が行なわれるようになっており、印刷ヘッド２１で印刷された用紙は、排紙部７に設けられる記録媒体排出手段の主要部を成す排紙ローラ２７によって順次排出される。排紙ローラ２７は、下側の排紙駆動ローラ２９及び上側の排紙ギザローラ３１から構成されており、用紙が排紙駆動ローラ２９の回転駆動により引き出されて排出される機構となっている。
【００１９】
このようなインクジェットプリンタ１において、本発明では図４および図５に示す如く、キャリッジ２３のホームポジションと印刷領域との境界付近に設けられるロックレバー３５を主体とするキャリッジのロック装置３３が設けられている。
【００２０】
図４はキャリッジに対して設けられる誘導リブがロックレバーに当接した直後の状態を拡大して示す斜視図であり、要部が同図中において更に拡大して分解して示されている。図５は同当接前（ａ）、当接時（ｂ）、当接後（ｃ）の誘導リブ及びロックレバーの位置関係とロックレバーの回動の様子を示す斜視図である。
【００２１】
本発明の一実施の形態に係るキャリッジのロック装置３３は、排紙駆動ローラ２９の回転軸３０を駆動源とし、該回転軸３０のホームポジション側の端部に設けられている。具体的には図４中に拡大して分解して示したように、ロックレバー３５を回転軸３０に対して遊嵌状態に設け、その外方に設けられる止め輪３７との間に圧接部材の一例である皿バネ３９を介在させることで、該皿バネ３９の弾性力を利用してロックレバー３５を所定の圧力で回転軸３０の軸方向に圧接している。
ロックレバー３５は、上方にキャリッジ２３のロック作用を実質的に行なうロック作用部４１、下方にロックレバー３５の回動角度を規制するストッパ作用部４３を有している。
【００２２】
一方、キャリッジ２３のホームポジション側の側面における前方寄りの下方には、誘導作用部の一例である平面視直角三角形状の誘導リブ４５が設けられている。該誘導リブ４５における傾斜面４７が、実質的にロックレバー３５の回動を促す誘導案内作用面になっていて、傾斜面４７に当接するロックレバー３５におけるロック作用部４１を前方側に押し出し傾倒させる作用を奏している。
【００２３】
尚、誘導作用部は、上述のようにキャリッジ２３側に設ける他、ロックレバー３５の印刷領域側の角稜部の一部を切除して図示しない傾斜面を形成し、この傾斜面を誘導作用部として利用することも可能であるし、キャリッジ２３及びロックレバー３５の双方に誘導作用部を形成することも可能である。
【００２４】
また、ロックレバー３５と回転軸３０との接続は、キャリッジ２３がロックレバー３５に当接する場合のように所定トルク以上の力が作用した場合に解除されればよいから、皿バネ３９に代えて圧縮コイルバネ等の他の弾性部材を回転軸３０の軸方向に作用させてもよい。或いは、回転軸３０とロックレバー３５に形成される回動穴部との隙間に、ゴムリング等の弾性部材を縮設し、該回転軸３０の軸と直角な方向に作用するように構成することも可能である。
【００２５】
次に、キャリッジ２３に対して設けられる印刷ヘッド２１及びフォトセンサ４９に向けて延びている電気信号搬送用のフラットケーブルの固定装置５１について図６〜図８及び図４に基づいて説明する。
【００２６】
図６は、キャリッジがホームポジション側の端部に位置する場合のフラットケーブル及び補強シートの折返しループ部を示す平面図であって、（ａ）、（ｂ）はキャリッジの側面に取り付けられる保持カバーに対する２種類の拘束位置を示している。また図７（ａ）は、補強シート端部の保持カバーに対する係止状態を示す斜視図、図７（ｂ）は同側断面図である。また図８はフラットケーブル端部のキャリッジに対する引き回し経路を示す斜視図である。
【００２７】
フラットケーブルは、湾曲自在に変形し得る帯状のケーブルで、本実施の形態では二本のフラットケーブル５３、５４を互いに自由に動ける状態で重ね合わせて使用している。フラットケーブル５３は、図６に示す如く、最外周側に位置し、そのリード線のすべてが印刷ヘッド２１に向けて延びている。フラットケーブル５４は、前記フラットケーブル５３の内周側に位置し、そのリード線の一部が印刷ヘッド２１、残りの部分がフォトセンサ４９が設けられている基板上のコネクタ５５に向けて延びている。
また、これらのフラットケーブル５３、５４の更に内周側には、これらを補強する目的で帯状の補強シート５７がフラットケーブル５３、５４に対して自由に動ける状態で設けられている。
【００２８】
フラットケーブル５３、５４は、図６および図８に示す如く、キャリッジ２３のホームポジション側の側面上部に取り付けられる保持カバー５９によって一旦保持された後、印刷ヘッド２１及びフォトセンサ４９に向けて延びている。一方、補強シート５７は、図７に示す如く、保持カバー５９に係止され、抜け止めされた状態で保持されている。この点については後に詳述する。
【００２９】
ここで、キャリッジ２３の右方のホームポジション側のスペースに現われるフラットケーブル５３、５４及び補強シート５７の折返しループ部６１について先に説明する。この折返しループ部６１は、キャリッジ２３の移動に伴い、徐々に形状と位置を変化させ、図１に示す右端側にキャリッジ２３が位置した状態において最も曲率半径Ｒが小さくなり、本実施の形態では１５ｍｍ程度となる。
【００３０】
このとき、折返しループ部６１には、フラットケーブル５３、５４及び補強シート５７の動きを拘束する拘束部６５が存在しない点に特徴を有している。即ち本実施の形態では、保持カバー５９内に至って初めてフラットケーブル５３、５４及び補強シート５７は拘束を受けるように構成されており、これにより、フラットケーブル５３、５４及び補強シート５７の直線部分６３を一部たわませるような無理な力は掛からないようになっている。
【００３１】
尚、図６ではフラットケーブル５３、５４及び補強シート５７の二種類の拘束位置を示しており、（ａ）では保持カバー５９内に進入し、キャリッジ２３の側面に沿うように再び湾曲させた後に拘束部６５を設けたもの、（ｂ）では保持カバー５９内に進入し、進入した姿勢のままその直後の位置に拘束部６５を設けたものを示している。
【００３２】
次に、補強シート５７の端部の保持カバー５９に対する係止状態について説明する。補強シート５７の端部の形状は、図７（ｂ）に示す如く、先端に楔状のテーパ案内部５７ａ、その後方上部に矩形状の切欠部５７ｂ、更にその後方上部に鉤状のフック部５７ｃを有する構成になっている。
因みにテーパ案内部５７ａは、フラットケーブル５３、５４のうち、印刷ヘッド２１側に延びる部分を下方に折り曲げる際の案内部材になる部分で、切欠部５７ｂは、フラットケーブル５４のうち、フォトセンサ４９側に延びる部分を後方に折り曲げる際の窓部となる部分である。またフック部５７ｃは、保持カバー５９における入口側上部に設けられるスリット６０に係止される部分である。
【００３３】
当該保持カバー５９は、図７（ａ）に示す如く、上記補強シート５７の端部形状に馴染んだ形状を有しており、更に補強シート５７をキャリッジ２３の側面に沿わせた状態に湾曲させるため、ループ状に湾曲した側壁５９ａと、上記スリット６０が設けられている。
【００３４】
尚、補強シート５７を保持カバー５９に取り付ける場合には、図７（ｂ）に示す如く、幾分補強シート５７の先端を下方に傾けた状態で入れ、フック部５７ｃを内側からスリット６０に引っ掛けた後、保持カバー５９と平行になるように回転させる。この状態では、フック部５７ｃは、スリット６０に係止され、更にテーパ案内部５７ａのテーパ面が保持カバー５９の上面によって保持され、テーパ案内部５７ａの下面が、キャリッジ２３の側面から突出している保持リブ２４によって保持されている。これにより、補強シート５７端部の回転が規制され、確実な抜け止めがなされている。尚、フラットケーブル５３、５４及び補強シート５７の固定は単に両面テープ等を用い、互いを接着するようにする構成であってもよい。
【００３５】
次に、フラットケーブル５３、５４の端部のキャリッジ２３に対する引き回し経路について説明する。尚、フラットケーブル５３の引き回し経路、フラットケーブル５４のうち印刷ヘッド２１側に延びる部分の引き回し経路については既に触れたので、ここではフラットケーブル５４のうちフォトセンサ４９側に延びる部分の引き回し経路に絞って説明する。
【００３６】
図８に示す如く、保持カバー５９内に進入したフラットケーブル５４は、その後二股に分かれ、そのうちフォトセンサ４９側に延びる部分は、キャリッジ２３の側面に沿って後方に向けて折り曲げられ、更に複数回の折り曲げを繰り返してフォトセンサ４９がマウントされている基板上のコネクタ５５に接続される。　従って、フォトセンサ４９側に延びるフラットケーブル５４は、直線的な折り曲げを繰り返すことによって引き回されており、キャリッジ２３の背面より後方に大きく膨らむ湾曲部は形成されていない。
【００３７】
次に、図１、図２および図４を用いて、フラットケーブル５３、５４の直線部分６３の引き回し及びその周辺部材の構成について説明する。フラットケーブル５３、５４は、電源部等が設けられている左端後方位置から引き出され、メインフレーム６７の左端の空隙あるいは途中に設けられる図示しない開口部やスリットを通ってメインフレーム６７の前面に至る。
【００３８】
メインフレーム６７の前面に引き出されたフラットケーブル５３、５４は、メインフレーム６７に沿ってキャリッジ２３の主走査方向に直線的に延びており、この部分が、直線部分６３となる。この直線部分６３のうち中央から左側の部分は、キャリッジ２３の移動に関係なく、常に直線状態を維持する部分で、この部分には、押え部材として作用する保護カバー６９がフラットケーブル５３、５４及び補強シート５７を覆うように取り付けられている。
【００３９】
また、メインフレーム６７の中央から右側の部分には、絞り加工等によって形成される凹み部６７ａが形成されている。この凹み部６７ａは、キャリッジ２３の背面とメインフレーム６７との間の空間を広げることで、フラットケーブル５３、５４及び補強シート５７の移動をより円滑にする作用と、メインフレーム６７の剛性を高める作用を併せ持っている。更にキャリッジ２３とメインフレーム６７との間におけるフラットケーブル５３、５４及び補強シート５７の配設スペースを確保する役割も当該凹み部６７ａは担っている。
尚、凹み部６７ａの右端側の下面は、右下がりに傾斜しており、折返しループ部６１が右端に移動してきたときの引っ掛かりを防止する逃げ部６７ｂとなっている。
【００４０】
再び保護カバー６９の説明に戻り、その形状及び取付構造について詳しく説明する。保護カバー６９は、長尺の矩形平板状の部材で、その右端側の部分は、幾分メインフレーム６７側に折り曲げられると共に、その上部コーナー部は、テーパ状に切り落とされ、キャリッジ２３との接触を回避した構造となっている。このような保護カバー６９をメインフレーム６７に対して取り付ける場合には、メインフレーム６７に設けられている爪部６８を利用して保護カバー６９の上縁及び下縁を適宜の間隔で保持することによって行なわれる。
【００４１】
尚、上述の折り曲げ部及びテーパ部の形成されている保護カバー６９の右端側の部分は、メインフレーム６７の凹み部６７ａの左端側の部分前方に位置していることから、上記構成の爪部６８のみによって保持することはできない。そこで保護カバー６９の右端下方の部分を幾分下方に延長し、この部分でメインフレーム６７に保持させると共に、上記折り曲げ部およびテーパ部を設けることで保護カバー６９の保持作用を補填しているのである。
【００４２】
次に、キャリッジ２３に目を移し、各色のインクカートリッジを挿入する際の目印となるカラーブリック７１について説明する。カラーブリック７１は、図４に示す如く、レンガないしタイルを模した平板状の部材でインクカートリッジの収納スペース前方の位置に設けられる。例えばシアン、マゼンタ、イエロー、ブラックの４色のインクに対応した４色のカラーブリック７１が用意されている。
【００４３】
尚、カラーブリック７１をキャリッジ２３に対して取り付けるには、例えばカラーブリック７１の裏面側に図示しない突起を設け、一方、キャリッジ２３側にこれに対応する穴部を形成し、この穴部に突起を合わせて上方から圧入することで、カラーブリック７１の取り付けは行なわれる。また、各色のカラーブリック７１が、所定の位置に常に確実に取り付けられるように、例えば突起の位置や数あるいは形状を、各色のカラーブリック７１毎で異ならせることも勿論可能である。
因みに、このようなカラーブリック７１を設けた場合には、印刷や貼り付けに手間のかかるシール等を利用する場合に比べ安価に仕上がる。
【００４４】
次に、このようにして構成される本発明のキャリッジのロック装置３３を適用したインクジェットプリンタ１におけるキャリッジのロック装置３３の作動状態及びフラットケーブルの固定装置５１の作用について説明する。最初にキャリッジのロック装置３３の作動状態について説明する。
【００４５】
図５（ａ）に示す如く、キャリッジ２３が印刷領域に位置している状態にも拘らず、ロックレバー３５がロック位置にある場合には、図５（ｂ）に示す如く、キャリッジ２３のホームポジション側の側面に設けられる誘導リブ４５の傾斜面４７がロックレバー３５のロック作用部４１に当接して、ロックレバー３５に所定トルク以上の負荷を掛ける。これに伴い、回転軸３０とロックレバー３５との接続は解除され、ロックレバー３５は徐々に前方に傾倒していき、図５（ｃ）に示す如く、ロックレバー３５はロック解除位置に移動する。
従って、ロックレバー３５の破損等は生ぜず、キャリッジ２３は、ロックレバー３５によってその移動を妨げられることなく、ホームポジションに至ることができる。
【００４６】
また、キャリッジ２３がホームポジションに位置している状態ではシーケンスの指令を受けて、排紙駆動ローラ２９は、用紙搬送方向と反対の方向に回転してロックレバー３５をロック位置に移動させる。この状態ではキャリッジ２３が暴走し、勝手に印刷領域に移動しようとしてもロックレバー３５によってその進行が妨げられているから移動することはできない。
また、シーケンスから印刷開始の指令を受けたような場合には、排紙駆動ローラ２９は、用紙搬送方向に回転してロックレバー３５をロック解除位置に移動させる。
【００４７】
次に、フラットケーブルの固定装置５１の作用について説明する。先ずキャリッジ２３が右端に位置するときにはフラットケーブル５３、５４及び補強シート５７の端部は、保持カバー５９内で拘束されているから折返しループ部６１では拘束部６５は存在せず、互いの動きが自由に行なえ、フラットケーブル５３、５４及び補強シート５７の間に内外周差等によって生ずる隙間が形成されている。
【００４８】
従って、キャリッジ２３の左側の直線部分６３に無理な力は掛からず、たわみ部等は生じていない。また補強シート５７の端部は、保持カバー５９によって確実に保持されているから、フラットケーブル５３、５４との拘束位置がずれることはなく、常に一定である。
【００４９】
また、フラットケーブル５４のうちフォトセンサ４９側に延びている部分は、直線的な折り曲げを繰り返してコネクタ５５に接続されているから、キャリッジ背面側に大きく膨らんでメインフレーム６７に接触するというようなことは生じない。
【００５０】
また、メインフレーム６７の中央から左側の部分では、保護カバー６９によってフラットケーブル５３、５４及び補強シート５７は確実に保護され、メインフレーム６７に対して固定されているから、キャリッジ２３が移動してもキャリッジ２３の背面が補強シート５７等に接触したり、引っ掛かったりするようなことは生じない。
【００５１】
また、保護カバー６９の右端側に設けられている曲り部では、フラットケーブル５３、５４及び補強シート５７が、メインフレーム６７側に押し付けられ、凹み部６７ａ内に至るように導かれている。
また、比較的動きの激しい中央から右側に位置するフラットケーブル５３、５４及び補強シート５７の部分は、凹み部６７ａ及び右端下方の逃げ部６７ｂの存在によりキャリッジ２３とメインフレーム６７との間に広い空間が形成されているから、メインフレーム６７の一部に引っ掛かることもなく、常に円滑な移動が確保されている。
【００５２】
また、キャリッジ２３がホームポジション側から印刷領域に移動する場合において、保護カバー６９における右端上方のテーパ部の存在により、キャリッジ２３が保護カバー６９に当接し、保護カバー６９を前方にめくり上げてしまうという事態も防止されている。
【００５３】
このようにして、本発明のキャリッジのロック装置３３が適用されたインクジェットプリンタ１は構成されるわけであるが、前記実施の形態に限定されるものではなく、以下述べるような部分的構成の変更等が可能である。例えばフラットケーブル５３、５４及び補強シート５７を引き回す方向を逆にしてキャリッジ２３の左端側に向かって引き出すようにすることも可能である。この場合には折返しループ部６１は、キャリッジ２３の左方のスペースに形成されることになる。また、保護カバー６９の取り付けを両面テープ等で行なうことも可能であることは勿論である。
【図面の簡単な説明】
【図１】本発明に係りキャリッジがホームポジションに位置する状態を示す斜視図。
【図２】同キャリッジが印刷領域に位置する状態を示す斜視図。
【図３】同インクジェットプリンタの側断面図。
【図４】キャリッジに対して設けられる誘導リブがロックレバーに当接した直後の状態を拡大して示す斜視図。
【図５】同当接前（ａ）、当接時（ｂ）、当接後（ｃ）の誘導リブ及びロックレバーの位置関係とロックレバーの回動の様子を示す斜視図。
【図６】（ａ）、（ｂ）はキャリッジがホームポジション側の端部に位置する場合のフラットケーブル及び補強シートの折返しループ部を示す平面図。
【図７】（ａ）は補強シート端部の保持カバーに対する係止状態を示す斜視図、（ｂ）は同側断面図。
【図８】フラットケーブル端部のキャリッジに対する引き回し経路を示す斜視図。
【符号の説明】
１　インクジェットプリンタ、　　　３　プリンタ本体、　　　５　給紙部、７　排紙部、　　　１１　給紙トレイ、　　　１２　ペーパーサポート、１３　給紙ローラ、　　　１４　エッジガイド、　　　１５　紙送り駆動ローラ、　　　１７　紙送り従動ローラ、　　　１９　紙送りローラ、　　　２１　印刷ヘッド、　　　２３　キャリッジ、　　　２４　保持リブ、　　　２５プラテン、　　　２７　排紙ローラ、　　　２９　排紙駆動ローラ、　　　３０　回転軸、　　　３１　歯付きローラ、　　　３３　キャリッジのロック装置、　　　３５　ロックレバー、　　　３７　止め輪、　　　３９　皿バネ、　　４１　ロック作用部、　　　４３　ストッパ作用部、　　　４５　誘導リブ、４７　傾斜面、　　　４９　フォトセンサ、　　　５１　フラットケーブルの固定装置、　　　５３，５４　フラットケーブル、　　　５５　コネクタ、５７　補強シート、　　　５７ａ　テーパ案内部、　　　５７ｂ　切欠部、　　　５７ｃ　フック部、　　　５９　保持カバー、　　　５９ａ　側壁、　６０　スリット、　　　６１　折返しループ部、　　　６３　直線部分、　６５　拘束部、　　　６７　メインフレーム、　　　６７ａ　凹み部、　　６７ｂ　逃げ部、　　　６８　爪部、　　　６９　保護カバー、　　　７１　カラーブリック、　　　Ｒ　曲率半径
【図１】
2004082409.tif 000003
【図２】
2004082409.tif 000004
【図３】
2004082409.tif 000005
【図４】
2004082409.tif 000006
【図５】
2004082409.tif 000007
【図６】
2004082409.tif 000008
【図７】
2004082409.tif 000009
【図８】
2004082409.tif 000010